(57)【要約】バッテリ作動デバイスの無接点充電のためのシステム、方法及び装置が、提供される。電力コンバータと共振タンク回路を有するホスト充電器と、バッテリが配置され、バッテリ充電ＩＣを有する携帯デバイスがある。本方法は、ホスト段と携帯段の両方の各々において電圧コントローラの必要性を排除し、従って、複雑さを減少し、効率を増加する。携帯デバイスにおけるバッテリの充電は、ホストと連続的に電気通信状態にある中の充電コントローラによって制御され、制御ＩＣがその出力電力をダイナミックにモニタし且つ制御する。携帯デバイスにおける充電回路に対する二つの実施形態が提供される。一方の実施形態において、コンポーネントカウントが最小にされるが、バッテリ充電は、バッテリ電圧が、非常に低い時には、最適にはされない。他方の実施形態において、バッテリの出力電圧に関係なく、充電効率は、最大にされるが、追加のコンポーネントが利用される。
2005526474.tif 000002
【特許請求の範囲】
【請求項１】
外部ホストから携帯デバイスのバッテリを無接点充電するための方法であって、
電力コンバータを介してホストにおいて電力を発生し、
無接点方法で前記携帯デバイスに電気的にホストを連結し、
携帯デバイスからホスト中の電力発生をダイナミックに制御することを含む、方法。
【請求項２】
電力発生のダイナミック制御は、デジタル信号を介して行われる、請求項１に記載の方法。
【請求項３】
電力発生のダイナミック制御は、携帯デバイスの充電コントローラを介して達成される、請求項２に記載の方法。
【請求項４】
電力コンバータは、携帯デバイスのバッテリ充電回路への誘導結合される、請求項３に記載の方法。
【請求項５】
電力コンバータのスイッチは、充電コントローラへ容量的に結合される、請求項４に記載の方法。
【請求項６】
電力コンバータは、ハーフブリッジコンバータである、請求項５に記載の方法。
【請求項７】
電力コンバータは、フルブリッジコンバータである、請求項５に記載の方法。
【請求項８】
無接点バッテリ充電方法であって、
電力コンバータを有する共振タンク回路を駆動し、
変圧器を介してバッテリへ接続されるバッテリ充電回路へ前記共振タンク回路からエネルギーを転送し、
充電中、共振タンク回路とバッテリ充電回路は、近接されるが、物理的に接続される必要はなく、
電力コンバータは、携帯デバイスに配置される充電コントローラのダイナミック制御下で、この充電コントローラと連続的通信状態に置かれることを含む、方法。
【請求項９】
充電コントローラは、デジタル制御信号を利用する、請求項８に記載の方法。
【請求項１０】
充電に先立って、バッテリの出力電圧を感知すること、出力電圧が低すぎる時に、充電回路からの電力を充電コントローラを充電するために使うことを更に含む、請求項９に記載の方法。
【請求項１１】
無接点バッテリ充電器用の装置であって、
共振タンク回路と、
電力コンバータと、
螺旋状に巻かれた導体と、
２個の導電プレートと、
動作中、電力コンバータは、前記２個の導電プレート間の電圧によって制御されることよりなる装置。
【請求項１２】
電力コンバータは、ハーブブリッジコンバータである、請求項１１に記載の装置。
【請求項１３】
前記２個の導電プレート間の電圧は、論理信号である、請求項１２に記載の装置。
【請求項１４】
前記論理信号が、立ち上がり遷移期間正のパルスへ及び立下り遷移期間負のパルスへ変換されるように、前記２個の導電プレート間に接続される抵抗を更に備える、請求項１３に記載の装置。
【請求項１５】
ハーフブリッジ電力コンバータスイッチに直列に接続される抵抗器を更に備える、請求項１４に記載の装置。
【請求項１６】
無接点充電可能バッテリ作動デバイス用の装置であって、
螺旋状に巻かれた導体と、
バッテリ充電コントローラと、
フルブリッジ整流器と、
２個の導電プレートと、
を備える、装置。
【請求項１７】
バッテリ充電コントローラは、外部ホスト充電デバイスに信号を送信することによって、バッテリの充電をデジタル様式で制御するように配置される、請求項１６に記載の装置。
【請求項１８】
バッテリ充電コントローラは、前記２個の導電プレートを介して外部ホストへ信号を送信する、請求項１７に記載の装置。
【請求項１９】
電力は、螺旋状に巻かれた導体を介して外部ホストから受け取られる、請求項１８に記載の装置。
【請求項２０】
バッテリ作動デバイスの無接点充電用のシステムであって、
充電器を備え、この充電器は、
共振タンク回路と、
電力コンバータと、
螺旋状に巻かれた導体と、
２個の導電プレートと、を備え、
電力コンバータは、前記２個の導電プレート間の電圧によって制御され、
携帯バッテリ作動デバイスを備え、この携帯バッテリ作動デバイスは、
第２の螺旋状に巻かれた導体と、
バッテリ充電コントローラと、
フルブリッジ整流器と、
第２の組の２個の導電プレートと、を備え、
充電器と携帯デバイスとが近接されると、第１と第２の螺旋状に巻かれた導体が、変圧器を形成し、第１と第２の組の導電プレートが、２個のキャパシタを形成する、システム。
【請求項２１】
バッテリ充電コントローラは、電力コンバータへ送信される信号を介してバッテリの充電を制御する、請求項２０に記載のシステム。
【請求項２２】
電力コンバータへ送信される信号は、デジタルである、請求項２１に記載のシステム。
【請求項２３】
バッテリを充電するための電力は、変圧器を介して充電器から携帯デバイスへ転送される、請求項２２に記載のシステム。
【請求項２４】
バッテリ充電コントローラからのデジタル信号は、２個のキャパシタを介して電力コンバータへ送信される、請求項２３に記載のシステム。
【発明の詳細な説明】
【技術分野】
【０００１】
本発明は、電力供給、特に、バッテリ作動デバイスの無接点充電に関する。
【背景技術】
【０００２】
消費者及び商用の両方において、電子デバイスは、ますます携帯化が進んでいる。人々は、電話機、ＰＣ、ページャー（まだ誰かがもっているならば）、ＰＤＡ、ＧＰＳデコーダ、及び他の多数のデバイスを携行する。これらのデバイスの各々は、携帯電源を必要としている。使用の簡単さと経済効率のために、えり抜きの電源は、充電可能バッテリである。
【０００３】
無接点エネルギー転送は、コネクタのコストとバッテリ作動携帯電子デバイスを充電するための電力供給におけるそれに関連する信頼性の問題を排除するために使用され得る。典型的には、既存の無接点バッテリ充電方法は、２段階の解決策を使用している。このシステムの第１の段階では、外部電源のホスト充電回路にある、第１のコントローラ又はレギュレータを使用して電圧を発生する。次に、この電圧は、通常あまり正確ではなく、充電されるべきバッテリがある携帯デバイスのある第２の段階に転送される。この第２の段階は、バッテリを充電する電流を管理するための追加のコントローラ又はレギュレータを必要としている。このような２段階のエネルギー転送システムの例は、米国特許第６，３０１，１２８Ｂ１号に開示されている。直接的にバッテリ充電のについて述べていないが、エネルギー充電のために２段階システムの使用を十分に述べている。
【発明の開示】
【発明が解決しようとする課題】
【０００４】
このような２段階電力変換システムの使用は、充電システムのコストを増加し、携帯デバイスの複雑さとサイズを増加し、電力変換の効率を減少する。更に、上述のように、ホストからの第１の段階の電圧は、不正確である傾向がある。これは、２次側からの直接フィードバックがない場合、１次側は、簡単には、出力電圧／電流の正確な表示を得ることが出来ない。このような状況において、出力を正確にモニタすることなくこの出力を制御しようとする限り、調節は、実際には、正確ではない。必要なことは、従来の技術の厄介な要求を取り除き、発生された充電電圧の正確さを向上し、且つ効率を増加する改良された無接点電力変換方法である。
【課題を解決するための手段】
【０００５】
バッテリ作動デバイスの無接点充電のためのシステム、方法及び装置が、提示される。電力コンバータと共振タンク回路を有するホストチャージャーと、バッテリが配置され、バッテリ充電制御ＩＣを有する携帯デバイスがある。この方法は、ホストと携帯デバイスの両方の各々において、電圧コントローラの必要性を排除し、従って、複雑さを減少し且つ効率を増加する。携帯デバイスにおいてバッテリの充電は、内部の充電コントローラによって制御され、この充電コントローラは、ホストと連続的に電子通信しており、その出力電力は、制御ＩＣによってダイナミックにモニタ及び制御される。携帯デバイスにおける充電回路の二つの実施形態が提示される。一方の実施形態では、コンポーネントカウントが、最小化されるが、バッテリ電圧が非常に低い時には、バッテリ充電が最適化されない。他方の実施形態では、充電効率は、バッテリの出力電圧に関係なく最大化されるが、追加のコンポーネントが利用される。
【発明を実施するための最良の形態】
【０００６】
本発明の一つ又はそれより多くの実施形態を詳細に説明する前に、本発明は、この出願において、以下の記述され且つ図面に例示されるコンポーネントの構造や配置の細部には制限されない（用語「構造」及び「コンポーネント」最も一般的な意味で理解されるべきであり、従って、当該文脈において、方法、アルゴリズム、プロセス及びサブプロセスに言及され且つ含む）ことを理解すべきである。本発明は、他の実施形態であってもよく、且つ種々の方法で実施され実行される。また、ここで使用されるフレーズ及び用語は、記述目的のためであり、且ついずれにしても制限であるとみなされるべきではない。
【０００７】
ここで記述される無接点バッテリ充電のためのシステムと方法は、単一段電力コンバータを利用する。図１は、ホスト又は外部充電回路１０１と携帯バッテリ作動デバイス１０２を備える電力コンバータの一実施形態を示す。ホスト回路１０１は、ハーブブリッジ電力コンバータによって駆動される直列共振タンク回路を備える。この共振タンク回路は、直列に接続されたＣｒ１０５とＬｒ１０６とを備え、そのエネルギーは、変圧器１１０を介して携帯デバイスに運ばれる。異なるソフトスイッチングトポロジーが、無接点バッテリ充電システムを実施するために選択され得る。
【０００８】
実例の簡単化のために、中に変圧器１１０の１次巻線を有するホスト回路は、ここでは、時には、１次側と呼ばれ、中に変圧器の２次巻線を有するバッテリ作動携帯デバイスは、時には、２次側と呼ばれる。
【０００９】
従来の技術の問題は、単一段電力コンバータを使用することによって解消される。従来の技術のシステムとは異なり、２次側のコントローラは、１次側の電力発生回路と連続的に電気通信しているので、単一段の使用が可能である。この連続的電気通信によって、２次側のコントローラが、ダイナミックに、従って効率的に、１次側の電力発生回路の制御を可能とする。
【００１０】
無接点エネルギー転送は、誘導的又は容量的結合を使用して達成され得る。負荷電流が、数ミクロンアンペア以下のオーダーでない場合、誘導結合が、容量結合よりも小さなインターフェース領域を必要とするので、誘導結合が好ましい。
【００１１】
コンバータの一部は、携帯バッテリ作動デバイス１０２に含まれる。携帯バッテリ作動デバイス１０２は、フルブリッジ整流器１２５と、バッテリ電圧１２６と、電流感知回路１２７を含み、更に、バッテリの充電アルゴリズムを実施する制御ＩＣ１３３と、携帯デバイスへエネルギーを転送するために使用される変圧器１１０の２次巻線として働く渦巻き状に巻かれた導体を含む。
【００１２】
外部充電器１０１にある電力段のホスト側は、電力スイッチＳ１１３０とＳ２１３１と、二つのデバイス（外部充電器１０１と携帯デバイス１０２）中の渦巻状に巻かれた導体によって形成される変圧器１１０の１次巻線として働く渦巻状に巻かれた導体を含む。或いは、インジューサ１０６は、変圧器１１０の漏れインダクタンスであってよく、別個のコンポーネントではない。ホスト側の実際の電力発生デバイスは、適切なものとして、図１の実例に示されるハーフブリッジコンバータ、フルブリッジコンバータ、或いは、現在既知の或いは将来知られるあらゆる他の電力コンバータであり得る。
【００１３】
バッテリからパワーオフされる制御ＩＣ１３３は、出力信号Ｖａ１５０を発生する。この信号は、外部充電器１０１の内部にある電力段の他の部分へＶｂ１５１の形態で転送される。抵抗器１７２によって、ＶｂのＶａの導関数、即ち、Ｖｂ＝Ｒｐｒ*［Ｃ１*Ｃ２／（Ｃ１+Ｃ２）］*［ｄＶａ／ｄｔ］に比例する。従って、以下に述べられるように、Ｖｂは、単純に、Ｖａ信号の立上がり及び立下り遷移での正又は負のパルスである。Ｖｂ信号１５１は、電力スイッチＳ１１３０とＳ２１３２のゲートＧ１１４０とＧ２１４１を夫々制御するために使用される。図１から理解されるように、この例示の実施形態において、Ｖｂは、ゲート信号受信回路１３６に送信され、この回路の信号は、レベルシフタ１３７に入力されて、スイッチＳ１とＳ２のゲートＧ１とＧ２を制御する。従来の技術で公知である、他の構成も可能である。次に、図４を参照して、波形Ｖａ、Ｖｂ、Ｇ１及びＧ２、並びにそれらの相互作用を記述する。（ここでの実例の簡単化のために、種々の図面への参照のためにインデックス（参照）番号が相互利用的に使用されることに留意すべきである。インデックス番号の最初の桁は、それが表れる図を識別する。従って、「１」で始まるインデックス番号は図１を指し、「２」で始まるものは、図２を指す等である。）
Ｖａはデジタル信号であるので、アナログ信号と同じ精度要求を持つ必要はない。このように、本発明の幾つかの実施形態では、単一のコントローラを１次側に配置し且つバッテリ電圧と電流のようなアナログ情報を介してリアルタイムフィードバックを１次側コントローラに提供することが可能であると共に、好適な実施形態では、コントローラは、２次側に配置されて１次側の電力コンバータのスイッチを制御する論理信号Ｖａを出力する。従来の技術で公知であるように、ＩＣコントローラによって出力される論理信号は、アナログ信号ほど精度要求が高くなく、より頑健な方法で、携帯デバイスからホスト充電デバイスへ提供することが好ましい。
【００１４】
図２を参照すると、正のＶｂパルス２０２は、Ｇ２２０４をローにしてボトムスイッチＳ２１３１とＧ１２０３をオフにし、非オーバーラップ期間後に、ハイにしてトップスイッチＳ１１３０をオンにする。負のＶｂパルス２０２は、Ｇ１２０３をローにして、トップスイッチＳ１１３２とＧ２２０４をオフにして、非オーバーラップ期間後に、ハイにして、ボトムスイッチＳ２１３１をオンにする。二つのスイッチＳ１１３０とＳ２１３１の導通期間同士間の非オーバーラップ時間は、スイッチを相互導通から保護する。外部充電器１０１と携帯デバイス１０２にあるプレートによって形成される二つのキャパシタＣ１１７０とＣ２１７１は、携帯デバイス１０２から外部充電器１０１へゲート制御信号Ｖａ１５０と２０１を転送するために使用される。図２に示されるように、論理ハイ又は論理ローであるＶａは、抵抗器１７２を介して正又は負のパルス信号Ｖｂへ変換される。図２から理解されるように、Ｖｂは、Ｖａの立上り期間正のパルスであり、Ｖａの立下り期間負のパルスである。そうでない場合、このＶｂは、振幅を持たない。このように、携帯デバイスの制御ＩＣ１３３は、Ｖａ２０１信号を介してハーフブリッジコンバータのスイッチング周波数を制御することによって、バッテリに送出される電力を調節する。スイッチング周波数を増加することは、バッテリへ送出される電力を減少する。周波数の減少は、バッテリ１２６へ送出される電力を増加する。変圧器Ｍ１１０とキャパシタＣ１１７０とＣ２１７１は、携帯デバイスと外部充電器が近接配置されると、形成される。好適な実施形態において、変圧器Ｍ１１０とキャパシタＣ１１７０とＣ２１７１を形成する２個のデバイスの導体間の距離は、１ｍｍ未満である。
【００１５】
容量結合は、２次側から１次側にフィードバック信号を送出するために使用される。誘導結合を使用することは可能であるが、コアレス誘導結合は、フィードバック信号（従って、大きな電流）を発生する回路を重く負荷を課す小さな磁化インダクタンスになる。小さなフィードバックキャパシタンスは、高いインピーダンス（従って、小さな電流）を表し、これは、信号送信にとって最適である。或いは、コアが誘導結合のために利用され、磁化インダクタンスを増加することによってこの問題を改善するならば、コストとサイズが結果として増加する。このように、好適な実施形態において、容量結合が、利用される。
【００１６】
一段電力コンバータの動作の上記記述は、このコンバータの安定状態の動作に言及している。次の記述は、本発明に従う無接点エネルギー転送のためのスタートアッププロセスである。
【００１７】
外部充電器が、パワーアップされると、図３に示されるように、バーストモードで発信する。変圧器ＭとキャパシタＣ１とＣ２が、携帯デバイスと外部充電器を近接配置することによって、形成されると、制御ＩＣ１３３は、十分な供給電圧１２６がバッテリからＩＣ１３３へ利用可能である場合、エネルギー転送プロセスの制御を行う。具体的には、ＩＣ１３３は、最初に、外部充電器がスイッチング中に感知抵抗器Ｒｓｅｃ１２７を流れる電流を検出する。次に、このＩＣは、信号Ｖａの周波数を制御することによって、外部充電器からバッテリへ流れるエネルギーを調節することを開始し、上述のように、フィードバックキャパシタＣ１１７０とＣ２１７１と抵抗器１７２を介してＶｂとしてホスト又は外部充電回路１０１へ送信され、次に、ハーブブリッジ電力コンバータのスイッチＳ１１３０とＳ２１３１を制御する。
【００１８】
携帯デバイス１０２に戻ると、バッテリ充電制御ＩＣ１３３は、バッテリ１２６が、電荷を消耗し、十分な供給電圧を制御ＩＣ１３３へ提供出来ない場合、機能しない。次に、このような状況において図１の実施形態がどのように動作するかを記述する。同様に、図３に示される他の実施形態が提示され、それは、携帯デバイス上の追加の回路によって、バッテリが電圧を有さず且つＩＣコントローラ１３３を駆動出来ない時でも、バッテリの最適充電を維持する。このように、携帯デバイスの充電回路のこれら二つの実施形態の各々は、エンジニアリングトレードオフの異なる側を選択する。
【００１９】
図１の実施形態において、最少数のコンポーネントが使用され、従って、製造コストと複雑さを最小にする。しかしながら、最初の充電段中、制御ＩＣ１３３は、バッテリからの不十分な供給電圧Ｖｏｕｔ１２６に起因して、エネルギー転送処理の制御を行うことが出来ない。その結果、電力コンバータ１３０と１３１は、バーストモードのままであり、スタートアップ回路１９０は、次に述べられるように、その充電を制御する。
【００２０】
外部充電器１０１は、バーストモードにスイッチし、共振タンクＣｒ１０５、Ｌｒ１０６を流れる電流をモニタすることによって、負荷の存在を検出出来る。これは、外部充電器の共振タンク回路に負荷を課すバッテリがある場合、電流が顕著に高いためである。他方、共振タンクの電流は、タンクに負荷がなくなると、減少される。共振タンク電流が半分のスイッチング期間中スイッチＳ１１３０とＳ２１３０の各々を共振タンク電流が流れる限り、半サイクルにスイッチを流れる電流を感知することによって共振タンク電流の大きさを感知することが出来、従って、充電システム１０２の携帯サイドの負荷、即ち、バッテリの存在を決定する。図１に示される回路の実施形態において、抵抗器Ｒｐｒ１８０は、Ｓ２１３１を流れる電流をモニタするようにスイッチＳ２１３１に直列に配される。図４は、全体の共振タンク電流４０１、４０３及びスイッチＳ２４０２，４０４を流れる電流の負荷が課された場合と負荷がない場合の上面図と底面図を示す。図からわかるように、Ｓ２電流は、一方の半サイクルに対して共振タンク電流を等しく極性が反対であり、もう一方の半サイクルでゼロである。
【００２１】
（Ｒｐｒ１８０を流れる共振タンク電流をモニタすることによって）１次側で負荷が検出されない場合、図３に示されるように、バーストモードのままである。（ゲート信号受信回路１３６へ入力する感知信号パスウエイ１３５を介するＲｐｒの電流の感知によって）負荷が検出され、（制御ＩＣ１３０の不十分な供給電圧に起因して）Ｖｂ信号が存在しない場合、電力コンバータは、バッテリ（即ち、検出された負荷）を充電するために、変圧器１１０を介してより多くのエネルギーを転送する必要がある。このような場合、電力コンバータは、以下に記述されるように、十分安全な低い電流を保つように、ここでは高い周波数で連続的に動作する。この場合、スタートアップ回路１９０は、スイッチング周波数を制御することによって、Ｒｐｒ１８０を流れる電流を調節する。図１の例では、これは、その信号をゲート信号受信回路１３６に送出しスイッチＳ１とＳ２を究極的に制御するスタートアップ回路１９０によって行われる。このように、この実施形態において、バッテリの細流充電電流が、間接的に制御される。外部充電器は、２次側のバッテリタイプを知らないので、細流充電電流値は、全ての可能なバッテリタイプに対して安全であるように選択されなければならない。この静的設定によって、より高いキャパシティバッテリのより長い充電時間となる。このように、この実施形態は、携帯デバイスで使用され得る特定のタイプのバッテリにとって最適ではない。
【００２２】
負荷が存在し、且つバッテリが十分な電圧Ｖｏｕｔ１２６を出力してＩＣ１３３に電力供給をする場合、携帯デバイスのＩＣ１３３は、上述のように、Ｖａ信号を使用してスイッチング周波数を制御し、従って、ＩＣ１３３は、バッテリへのエネルギー流を調節する。
【００２３】
図５は、携帯デバイスの第２の実施形態を示す。この実施は、追加のコンポーネントを必要とし、従って製造コストを上昇する。しかしながら、この実施形態において、制御ＩＣ５３０は、充電されたバッテリの細流充電電流を常に調節する。このように、細流充電電流は、携帯デバイスに設置されるバッテリタイプに対して最適化され得る。このように、この第２の実施形態は、充電効率を最大にし、従って、充電時間を最小にする。
【００２４】
第２の実施形態は、Ｖｏｕｔ５２５Ａが低又はゼロの場合に交流電圧源ＶＣＣをバッテリ充電制御ＩＣ５３０に提供するために、スイッチＳ３５９５並びに（ダイオード５９８及びキャパシタンス５９９を備える）追加の回路５９７を追加する。第２の実施形態において、バッテリが放電されると（即ち、Ｖｏｕｔ５２６Ａが低又はゼロ）、スイッチＳ３５９５は、オフ状態に維持される。外部充電器５０１がバーストモードにスイッチすると、この充電器は、十分な電流を提供して制御ＩＣ５３０に電力供給をする。一方、制御ＩＣ５３０は、Ｖａ信号５５０を発生して外部充電器５０１のスイッチング周波数を制御すると共にＧ３５４０に印加されるゲート電圧によってスイッチＳ３５９５の導電を可能とする。このように、ＩＣ５３０は、スイッチング周波数を制御してそれ自体の供給電圧ＶＣＣ５９６を調節する。また、ＩＣは、Ｓ３スイッチ５９５のオンインピーダンスを制御してバッテリ５２６の細流充電を調節する。バッテリ電圧が、十分に高い値に達して制御ＩＣ５３０を電力供給すると、スイッチＳ３５９６は、完全にオンされ、ＩＣは、電力コンバータのスイッチング周波数を制御して上述の安定状態充電の場合のように、バッテリ５２６の充電電流を調節する。図５のこの実施形態は、バッテリ５２６の充電が起こる前に、十分な供給伝圧が制御ＩＣ５３０に提供されることを保障する。従って、ＩＣ５３０は、常に、バッテリ充電電流の制御下にある。
【００２５】
上記から決定出来るように、本発明が、ゲート駆動信号、即ち、電力コンバータを実際に制御する信号を２次側から１次側へ直接に送信する限りにおいて、１次側制御の必要性は、実際上除去される。１次側に対する制御は、充電電流の調節ではなくて、（上述のように、バーストモード動作からの充電のために）負荷の存在を検出することで行われなければならない。このように、本発明は、真の１段電力変換制御を実施する。
【００２６】
上記では、本発明の好適な実施形態を記述しているが、種々の変更や追加は、当業者にとって明白である。このような変更及び追加は、以下の請求の範囲によってカバーされることを意図している。
【図面の簡単な説明】
【００２７】
【図１】本発明に従う単一段の無接点充電システムを示す図。
【図２】図１のシステムの幾つかの安定状態電圧波形を示す図。
【図３】図１のシステムの幾つかのスタートアップ電圧波形を示す図。
【図４】本発明に従う負荷がある場合とない場合における、ホストシステムの例示の共振タンク回路電流とＳ２スイッチ電流波形を示す図。
【図５】本発明に従う単一段充電システムの他の実施形態を示す図。
【図１】
2005526474.tif 000003
【図２】
2005526474.tif 000004
【図３】
2005526474.tif 000005
【図４】
2005526474.tif 000006
【図５】
2005526474.tif 000007
【国際調査報告】
2005526474.tif 000008
2005526474.tif 000009